(57)【要約】【課題】搬送マージンを大きくしてプレートを確実に搬送できるようにした。【解決手段】プレート１２を回転ドラム５０から巻き解いて排出する排版ガイドユニット２２に、プレート１２の排出方向である前方に向かって広がり、排出されるプレート１２を下から支えることにより該プレート１２をガイドするガイド部材２５，２６と、該ガイド部材２５，１６の排出方向途中においてプレートの下面に接してプレートを排出方向に搬送させる搬送ローラ２９とを備え、ガイド部材２６は、排出されてきたプレートの幅方向全域を支える基体部分２６ａと、該基体部分２６ａよりも排出方向前方の、該プレートの幅方向の中央部分のみを支持することにより、該プレートの両側部分を垂れ下がらせる中央支持部３０とを有するものである。【選択図】      図１
2004317667.tif 000002
【特許請求の範囲】
【請求項１】
プレートが巻きつけられる回転ドラムと、該回転ドラムに巻きつけられプレートに画像を露光する露光部と、前記回転ドラムに巻きつけられ画像を露光した後のプレートを該回転ドラムから巻き解いて排出する排版ガイドユニットとを備えた画像露光装置において、
前記排版ガイドユニットは、
前記プレートの排出方向である前方に向かって広がり、排出されるプレートを下から支えることにより該プレートをガイドするガイド部材と、
該ガイド部材の排出方向途中において前記プレートの下面に接して該プレートを排出方向に搬送させる搬送ローラとを備え、
前記ガイド部材は、排出されてきたプレートの幅方向全域を支える基体部分と、該基体部分よりも排出方向前方の、該プレートの幅方向の中央部分のみを支持することにより該プレートの両側部分を垂れ下がらせる中央支持部とを有するものであることを特徴とする画像形成装置。
【請求項２】
前記中央支持部は、基体部分の幅よりも狭幅に突出した矩形形状のものであることを特徴とする請求項１記載の画像露光装置。
【請求項３】
前記中央支持部は、前記基体部分の排出方向前端から下方に折れ曲がって排出方向に広がるものであることを特徴とする請求項２記載の画像露光装置。
【請求項４】
前記ガイド部材は、前記前端部分の、前記中央支持部両側に、前記基体部分の排出方向前端から下方に折れ曲がって前記中央支持部よりも下向きに排出方向に広がる板状の一対の側板部を有するものであることを特徴とする請求項１記載の画像露光装置。
【請求項５】
前記中央支持部は、排出方向前端に頂点を持つ三角形状に広がり、前記ガイド部材は、該三角形状の該頂点を挟む二辺でそれぞれ下方に折れ曲がった板状の一対の側板部を有するものであることを特徴とする請求項１記載の画像露光装置。
【請求項６】
前記ガイド部材は、前記搬送ローラの配置位置で二分された、前記搬送ローラよりも前記回転ドラム寄りの部分からなる第１ガイド部材と、該搬送ローラよりも前記排出方向下流側の第２ガイド部材とからなり、かつ前記第１ガイド部材および第２ガイド部材のそれぞれのプレート案内面に、互いに独立して配置されたた樹脂製の突条滑り部材を備えていることを特徴とする請求項１ないし５のいずれか１項に記載の画像露光装置。
【請求項７】
前記搬送ローラは、前記プレートの自重による摩擦力で該プレートを前記ガイド部材上で搬送するニップフリーのものであることを特徴とする請求項１又は２記載の画像形成装置。
【発明の詳細な説明】
【０００１】
【発明の属する技術分野】
本発明は、プレートに画像を露光した後排版ガイドユニットで排出する画像露光装置に関する。
【０００２】
【従来の技術】
図９は、従来の画像露光装置を模式的に示す側面図である。
【０００３】
同図に示すように、従来の画像露光装置は、印刷版となるプレート１２を巻き付ける回転ドラム５０と、回転ドラム５０に巻き付けられたプレート１２に画像を露光する露光ヘッド６６と、この回転ドラム５０の上方に設置されたパンチ装置と、この回転ドラム５０およびパンチ部１６に対向するように二位置に選択的に移動し、プレート１２を回転ドラム５０に供給する給版ガイドユニット２０および露光後のプレート１２を回転ドラム５０から排出する排版ガイドユニット２２が一体化された搬送ガイドユニット１４とを備えている（例えば、特許文献１参照）。
【０００４】
搬送ガイドユニット１４に設けられている給版ガイドユニット２０に載置されたプレート１２をパンチ部１６へ搬送して、プレート１２にパンチ孔を穿設する。このパンチ孔は、露光後のプレート１２（印刷版）を使用した印刷処理において、当該印刷版の位置決めに使用される。パンチ孔の穿設後、搬送ガイドユニット１４を、支点１７を中心に回動させて回転ドラム５０に対向する位置に移動させ、給版ガイドユニット２２に載置されたプレート１２を回転ドラム５０に向けて搬送し、回転ドラム５０へ巻き付けた後で露光ヘッド６６により露光を実行する。
【０００５】
露光した後のプレート１２は、搬送ガイドユニット２２で排出される。搬送ガイドユニット２２は、回転ドラム５０に隣接してプレート１２をガイドする第１ガイド部材２５と、第１ガイド部材２５の後部に設けられた搬送ローラ２９と、この搬送ローラ２９の後部に設けられた第２ガイド部材２６とを備えたものである。露光終了後、回転ドラム５０の回転によりプレート１２は第１ガイド部材２５に載せられて搬送され、搬送ローラ２９に到達する。第１ガイド部材２５と第２ガイド部材２６の角度を適宜設定することで、プレート１２の自重を利用して搬送ローラ２９にプレート１２を所定の角度で巻き付けながら搬送ローラ２９との間の摩擦力で搬送するようにしている。これにより、プレート１２はニップローラで挟持することなく搬送ローラ２９のみで搬送でき、プレート１２の画像露光部への傷発生を防止しつつ高速搬送が可能となる。
【０００６】
【特許文献１】
特開２００１−３５６４８９号公報（第１頁、図２）
【０００７】
【発明が解決しようとする課題】
上記のように、プレート１２を搬送ローラとの摩擦力を利用して片側の搬送ローラのみで搬送する、いわゆるニップフリーの場合、プレート１２とガイド部材２５，２６との間にも摩擦力が発生するので、高速搬送のための搬送マージンを得るためには、プレート１２と搬送ローラ２９との摩擦力の方がプレート１２とガイド部材２５，２６との間の摩擦力より大きいことが必要である。
【０００８】
ところで、プレート１２が第２ガイド部材２６に載って搬送されるにしたがって、徐々にプレート１２と第２ガイド部材２６との接触面積が大きくなり、これに伴ってプレート１２と第２ガイド部材２６との間の摩擦力も大きくなる。プレート１２が大型化するほどこの傾向は強い。また、ガイド部材２５、２６のガイド面に汚れが付くことがあり、これによってもプレート１２とガイド部材２５，２６との間の摩擦力が大きくなる。ところが、プレート１２が搬送されるに伴って搬送ローラ２９に対するプレート１２の巻き付け角は小さくなるため、搬送ローラ２９との間の摩擦力は小さくなる。このため、上記搬送マージンは搬送が進むにしたがって減少する傾向にある。
【０００９】
また、ガイド部材２５，２６には滑り部材として樹脂製リブ（図示せず）が取り付けられているが、この樹脂製リブと金属製のガイド部材２５，２６との熱膨張差によりガイド部材２５，２６のガイド面が完全に平坦にならず、図１０に示すように、幅方向両端部分１２ｃが上方に反り返った湾曲形状が生じることがある。プレート１２がこの湾曲形状のまま排版ガイドユニット２２上で搬送されると、プレート１２は排版ガイドユニット２２の前方（プレート排出方向の）から出た部分１２ａでも下方に曲がらず、真っ直ぐの状態で搬送されてしまうことがある。このとき、以下のような現象が生じる。
【００１０】
図９において、搬送ローラ２９とプレート１２の裏面との摩擦により得られる搬送力をＦ１、プレート１２の搬送ガイドユニット２２から飛び出している部分１２ａの自重によるプレート搬送力をＷ１、プレート１２の裏面と搬送ガイドユニットとの摩擦による抵抗力をＷ２とすると、プレート１２の搬送可能な条件は、Ｆ１＞Ｗ１＋Ｗ２である。つまり、自重によるプレート搬送力Ｗ１が搬送ローラ２９による搬送力Ｆ１に抵抗するように働くため、搬送マージンが低下し、確実な搬送ができなくなることがある。
【００１１】
なお、図９に示すように、パンチ部１６が回転ドラム５０の上方に位置している画像露光装置では、回転ドラム５０はパンチ部１６の下方に配置されるため、搬送ガイドユニット１４はパンチ位置（水平位置）から下降した下り傾斜状態でプレート供給を行い、上り傾斜状態でプレート排出を行うことになる。このように上り傾斜状態でプレート排出を行う場合、より大きい搬送マージンが必要となる。
【００１２】
プレート１２の横幅（搬送方向に直交する方向）が小さい縦長のものである場合、搬送ローラ２９との摩擦力が小さくなるが、長尺の分排版ガイドユニット２２のガイド面に対する接触面積は増えるため、搬送マージンの減少はより顕著になり、最悪の場合は搬送不能になるという問題がある。
【００１３】
本発明は、上記事情に鑑み、搬送マージンを大きくしてプレートを確実に搬送できるようにした画像露光装置を提供することを目的とする。
【００１４】
【課題を解決するための手段】
上記目的を達成する本発明の画像露光装置は、プレートが巻きつけられる回転ドラムと、該回転ドラムに巻きつけられプレートに画像を露光する露光部と、前記回転ドラムに巻きつけられ画像を露光した後のプレートを該回転ドラムから巻き解いて排出する排版ガイドユニットとを備えた画像露光装置において、
前記排版ガイドユニットは、
前記プレートの排出方向である前方に向かって広がり、排出されるプレートを下から支えることにより該プレートをガイドするガイド部材と
該ガイド部材の排出方向途中において前記プレートの下面に接して該プレートを排出方向に搬送させる搬送ローラとを備え、
前記ガイド部材は、排出されてきたプレートの幅方向全域を支える基体部分と、該基体部分よりも排出方向前方の、該プレートの幅方向の中央部分のみを支持することにより、該プレートの両側部分を垂れ下がらせる中央支持部とを有するものであることを特徴とする。
【００１５】
本発明の画像露光装置では、排出されてきたプレートの幅方向の中央部分のみを中央支持部で支持することにより、プレートの幅方向両側を下方へ撓ませてプレートの上方への反り返りを矯正しながら搬送し、中央支持部の先端部でプレートの前端部分を垂れ下がらせるようにしたので、垂れ下がりの部分の重力による搬送力がプレートに加わることになり、これにより、搬送マージンを増やし、確実にプレートを搬送することができる。
【００１６】
前記中央支持部は、基体部分の幅よりも狭幅に突出した矩形形状のものであることが好ましい。この構成により、矩形形状の中央支持部の両側からプレートの幅方向両側を垂れ下がらせてプレートの反り返りを矯正できる。
【００１７】
前記中央支持部は、前記基体部分の排出方向前端から下方に折れ曲がって排出方向に広がるものであることも好ましい形態である。この構成により、プレートは中央支持部に沿って下方に曲がりながら自然に垂れ下がり、反り返りを矯正できる。
【００１８】
前記ガイド部材は、前記前端部分の、前記中央支持部両側に、前記基体部分の排出方向前端から下方に折れ曲がって前記中央支持部よりも下向きに排出方向に広がる板状の一対の側板部を有するものであることが好ましい。この構成によりプレートの垂れ下がり部分は側板部で受け止められる。
【００１９】
前記中央支持部は、排出方向前端に頂点を持つ三角形状に広がり、前記ガイド部材は、該三角形状の該頂点を挟む二辺でそれぞれ下方に折れ曲がった板状の一対の側板部を有するものであってもよい。この構成により、プレートは二等辺三角形状の両側の側板部に沿って曲がりながら自然に垂れ下がる。
【００２０】
前記ガイド部材は、前記搬送ローラの配置位置で二分された、前記搬送ローラよりも前記回転ドラム寄りの部分からなる第１ガイド部材と、該搬送ローラよりも前記排出方向下流側の第２ガイド部材とからなり、前記第１ガイド部材および第２ガイド部材のそれぞれのプレート案内面に、互いに独立して配置された樹脂製の突条滑り部材を備えていることが好ましい。この構成により、突条滑り部材は第１ガイド部材および第２ガイド部材で分離されるため、熱膨張によるガイド部材に与える影響を軽減できる。
【００２１】
前記搬送ローラは、前記プレートの自重による摩擦力で該プレートを前記ガイド部材上で搬送するニップフリーのものであることが好ましい。
【００２２】
この構成により、プレートに傷つけることなく高速搬送ができる。
【００２３】
【発明の実施の形態】
以下、本発明の実施形態について説明する。
【００２４】
図１は、本発明の第１の実施形態に係る画像露光装置の斜視図、図２は同画像露光装置を模式的に示す概略側面図である。
【００２５】
図１、図２に示すように、本実施形態に係る画像露光装置１０は、表面に感光層を有し、アルミシートからなるプレート１２に画像を露光するものであって、搬送ガイドユニット１４の前方にパンチ部１６が配置されると共に、パンチ部１６の下方に回転ドラム５０および露光ヘッド６６が配置されている。
【００２６】
搬送ガイドユニット１４は、略四角形平板状の給版ガイドユニット２０と、その上部に配置された略四角形平板状の排版ガイドユニット２２と、両側に設けられた左フレーム１５ａおよび右フレーム１５ｂとを有している。
【００２７】
搬送ガイドユニット１４は、後端部に設けられた支点１７を中心として所定角度回動する構造となっており、この回動によって、給版ガイドユニット２０および排版ガイドユニット２２を選択的にパンチ部１６と回転ドラム５０に先端を対向させるようになっている。
【００２８】
給版ガイドユニット２０には、図示しない給版ローラが給版ガイドユニット２０のガイド面上に突出するように設けられ、この給版ローラが正逆回転されされることで、給版ガイドユニット２０上に載置されたプレート１２が前方又は後方へ搬送されるようになっている。
【００２９】
図２に示すように、排版ガイドユニット２２は、回転ドラム５０に隣接して上向き傾斜に配置された第１ガイド部材２５と前方（プレート排出方向に対して、以下同じ）に配置された第２ガイド部材２６と、これら第１ガイド部材２５と第２ガイド部材２６との間に横向きに配置された搬送ローラ２９とを備えている。搬送ローラ２９は、その外周面が第１ガイド部材２５と第２ガイド部材２６に上面（プレートガイド面）より上方に出るように配置されている。この搬送ローラ２９が駆動モータ（図示せず）で回転されされることで、排版ガイドユニット２２上に載置されたプレート１２が、搬送ローラ２９との摩擦力で前方へ搬送されるようになっている。
【００３０】
第２ガイド部材２６の基体部分２６ａ（図１参照）のプレート排出方向前端部２６ｂには、その中央部に排出されてきたプレート１２の中央部分を下から支持する矩形の中央支持部３０が前方に向けて突出されている。
【００３１】
第１ガイド部材２５、第２ガイド部材２６の上には、樹脂製の滑り材で構成された断面台形のリブ３５が多数設けられている。このリブ３５は、前後方向に平行に配置されると共に、第１ガイド部材２５、第２ガイド部材２６上への突出高さが搬送ローラ２９よりも僅かに低く設定されている。このリブ２６で、搬送ローラ２９の回転によってプレート１２の搬送する際の摩擦力の軽減が図られている。
【００３２】
図１に示すように、パンチ部１６は、平板状の支持板４４上に設けられた所定数（本実施の形態では２つ）のパンチ装置４６で構成されている。
【００３３】
パンチ装置４６の下部には円柱状の回転ドラム５０が配置されている。後述のように、パンチ孔の穿設後、パンチ部１６から給版ガイドユニット２０上へ戻されたプレート１２が仮位置決めされると、搬送ガイドユニット２２は先端が下降し、図２の位置まで回動されて給版ガイドユニット２０が回転ドラム５０の接線方向に対向される。この状態でプレート１２は搬送ローラ２４によって回転ドラム５０周面上に先端が位置するように搬送される。
【００３４】
図２に示すように、回転ドラム５０の周面には、前端チャック５４が設けられている。前端チャック５４の上方にはカム５６が設けられており、カム５６が前端チャック５４の前側を押圧することで、前端チャック５４の後側が回転ドラム５０周面から離間している。これにより、上述の如く給版ガイドユニット２０から回転ドラム５０の周面上に搬送されるプレート１２の前端が前端チャック５４の後側と回転ドラム５０周面との間に挿入され、この状態で上記プレート１２の本位置決めが行われる。また、上記プレート１２の本位置決めが終了した後には、カム５６が回動して前端チャック５４の押圧を解除することで、前端チャック５４内部に設けられた図示しないばねによって前端チャック５４の後側が回動し、これにより、前端チャック５４がプレート１２の前端を押圧して回転ドラム５０の周面にプレート１２の前端が保持される。さらに、回転ドラム５０の周面にプレート１２の前端が保持されると、回転ドラム５０が図２の反時計回り（矢印Ａの方向）側へ回転され、プレート１２が回転ドラム５０の周面に巻き付けられる。
【００３５】
回転ドラム５０の周面近傍には、カム５６よりも図３の矢印Ａの方向側において、回転ドラム５０に接触離脱可能なスクイズローラ５８が配設されている。スクイズローラ５８は、回転ドラム５０側へ移動されることで、回転ドラム５０に巻き付けられるプレート１２を回転ドラム５０へ向けて押圧しつつ回転され、プレート１２を回転ドラム５０の周面に密着させる。
【００３６】
さらに、回転ドラム５０の周面近傍には、カム５６よりも図２の時計回り（矢印Ｂの方向）側において、後端チャック着脱ユニット６０が配設されている。後端チャック着脱ユニット６０はシャフト６２を有しており、シャフト６２は回転ドラム５０へ向けて移動可能とされている。シャフト６２の先端には後端チャック６４が装着されており、回転ドラム５０に巻き付けられたプレート１２の後端が後端チャック着脱ユニット６０に対向すると、シャフト６２が後端チャック６４を回転ドラム５０側へ移動させて回転ドラム５０の所定の位置に装着すると同時に、シャフト６２から後端チャック６４が離脱される。これにより、後端チャック６４がプレート１２の後端を押圧して、回転ドラム５０周面にプレート１２の後端が保持される。
【００３７】
このように、前端チャック５４および後端チャック６４によってプレート１２の前端および後端が回転ドラム５０に保持されると、スクイズローラ５８が回転ドラム５０から離間された後に、回転ドラム５０が所定の回転速度で高速回転される。これにより、プレート１２は給版ガイドユニット２０上で搬送されながら回転ドラム５０に巻き付けられていく。
【００３８】
図２に示すように、回転ドラム５０周面の後側近傍には、画像記録部としての記録ヘッド部６６が配設されている。記録ヘッド部６６は、高速回転される回転ドラム５０に向け、この回転ドラム５０の回転に同期させて、読み込まれた画像データに基づいて変調した光ビームを照射レンズ８０から照射し、これにより、プレート１２が画像データに基づいて露光される。この露光処理は、回転ドラム５０を高速で回転させながら（主走査）、記録ヘツド部６６を回転ドラム５０の軸線方向へ移動させる（副走査）、所謂走査露光である。
【００３９】
プレート１２への走査露光が終了すると、後端チャック６４がシャフト６２に対向する位置で回転ドラム５０は一時停止され、シャフト６２の後退動作によって回転ドラム５０から後端チャック６４が取り外されて、後端チャック６４によるプレート１２後端の押圧が解除される。さらに、搬送ガイドユニツト１４が回動されて排版ガイドユニット２２が、図２に示すように回転ドラム５０の接線方向に対向された後、回転ドラム５０が矢印Ｂの方向へ回転されることで、プレート１２が後端側から排版ガイドユニット２２へ排出される。この際、カム５６が回動されて前端チャック５４の前側を押圧することで、前端チャック５４後側によるプレート１２の前端の押圧が解除される。
【００４０】
プレート１２が排版ガイドユニット２２の第１ガイド部材２５に送られ、搬送ローラ２９に到達すると、プレート１２は搬送ローラ２９との摩擦により搬送され、第１ガイド部材２５および第２ガイド部材２６上のガイド面で滑りながら搬送される。プレート１２の先端部が中央支持部３０に載りながら移動するにしたがって、プレート１２の前端部両側部分が中央支持部３０の両側で下方に垂れ下がり、上記した反り返りが矯正されながら排出方向に移動し、さらに移動が進むと図２に示すように、中央支持部３０の先端から垂れ下がった垂れ下り部１２ｂが発生する。このとき、図２に示すように、プレート１２には以下のような搬送力が加わる。
【００４１】
搬送ローラ２９とプレート１２の裏面との摩擦により得られる搬送力をＦ１、垂れ下り部１２ｂの自重によるプレート搬送力をＷ１、プレート１２の裏面と搬送ガイドユニットとの摩擦による抵抗力をＷ２とすると、プレート１２の搬送可能な条件は、Ｆ１＞Ｗ２−Ｗ１である。つまり、垂れ下り部１２ａによるプレート搬送力Ｗ１が搬送ローラ２９による搬送力Ｆ１を助けるように働くため、搬送マージンが増加し、確実な搬送が可能となる。
【００４２】
図３は、本発明の第２の実施形態に係る画像露光装置の斜視図、図４は同画像露光装置を模式的に示す概略側面図である。
【００４３】
第２の実施形態では、中央支持部３０の両側に第２ガイド部材２６の前端から下方に折曲された側板部３１が形成されている。この構成により、中央支持部３０の両側の垂れ下り部分は側板部３１で受け止められ、例えば、給版ガイドユニット２０にプレートが存在する場合、これに触れないようにすることができる。
【００４４】
図５は、本発明の第３の実施形態に係る画像露光装置の斜視図、図６は同画像露光装置を模式的に示す概略側面図である。
【００４５】
第３の実施形態では、中央支持部３０および側板部３１が第２ガイド部材２６の前端から下方に折曲されている。但し、中央支持部３０より側板部３１の方が下になるように折曲さている。この構成により、プレート１２は中央支持部３０に沿って下方に曲がりながら自然に垂れ下がらせることができる。
【００４６】
図７は、本発明の第４の実施形態に係る画像露光装置の斜視図、図８は図７のＡ−Ａ線断面図である。
【００４７】
第４の実施形態では、中央支持部３０は、第２ガイド部材２６の基体部分２６ａの排出方向前端に底辺を持つと共に第２ガイド部材２６の前端部分に頂点を持つ二等辺三角形状に突出したものであり、さらに、中央支持部３０の両辺のそれぞれに下方に折れ曲がった板状の一対の側板部３２が形成されたものである。
【００４８】
この構成により、プレート１２は側板部３２に受け止められる。なお、この第４の実施形態の構成において、二等辺三角形状の中央支持部３０のみで側板部３２は除いた構成でもよい。また、二等辺三角形状の中央支持部３０も底辺から下方に折曲した形状にすることもできる。
【００４９】
【発明の効果】
以上説明したように、本発明の画像露光装置によれば、中央支持部の両側での下方への垂れ下がりでプレートの上向きの反りが矯正できると共に、中央支持部の先端でのプレートの垂れ下り部分の重力による搬送力がプレートに加わることより、搬送マージンを増やし、高速での確実なプレート排出ができる。
【図面の簡単な説明】
【図１】本発明の第１の実施形態に係る画像露光装置の斜視図である。
【図２】第１の実施形態の画像露光装置を模式的に示す概略側面図である。
【図３】本発明の第２の実施形態に係る画像露光装置の斜視図である。
【図４】第２の実施形態の画像露光装置を模式的に示す概略側面図である。
【図５】本発明の第３の実施形態に係る画像露光装置の斜視図である。
【図６】第３の実施形態の画像露光装置を模式的に示す概略側面図である。
【図７】本発明の第４の実施形態に係る画像露光装置の斜視図である。
【図８】図７のＡ−Ａ線断面図である。
【図９】従来の画像露光装置を模式的に示す概略側面図である。
【図１０】従来の画像露光装置でのプレート搬送状態を示す斜視図である。
【符号の説明】
１０    画像露光装置
１２    プレート
１４    搬送ガイドユニット
２０    給版ガイドユニット
２２    排版ガイドユニット
２５    ガイド部材（第１ガイド部材）
２６    ガイド部材（第２ガイド部材）
２６ａ    基体部分
３０    中央支持部
３１、３２    側板部
３５      突条滑り部材
５０    回転ドラム
【図１】
2004317667.tif 000003
【図２】
2004317667.tif 000004
【図３】
2004317667.tif 000005
【図４】
2004317667.tif 000006
【図５】
2004317667.tif 000007
【図６】
2004317667.tif 000008
【図７】
2004317667.tif 000009
【図８】
2004317667.tif 000010
【図９】
2004317667.tif 000011
【図１０】
2004317667.tif 000012